(57)【要約】  情報処理装置は、クライアント端末１の表示画面における広告表示領域に表示される広告商品の情報を取得し、当該広告商品と比較される比較商品の情報を取得し、当該広告商品情報と、当該比較商品情報との比較結果に基づいて広告商品の特徴を示す特徴情報を決定し、決定された特徴情報をクライアント端末１の表示画面に表示させる。
2015151176.tif 000002
【特許請求の範囲】
【請求項１】
表示画面における広告表示領域に表示される広告対象の情報を取得する第１取得手段と、
前記広告対象と比較される比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項２】
前記決定手段は、前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記特徴情報を決定することを特徴とする請求項１に記載の情報処理装置。
【請求項３】
前記決定手段は、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記特徴情報を決定することを特徴とする請求項１に記載の情報処理装置。
【請求項４】
前記情報処理装置は、前記広告対象の閲覧者であるユーザにより過去に閲覧または指定された対象の情報を含む履歴情報に基づいて、前記広告対象に対して設定された項目の中から、前記ユーザが重視する項目を特定する特定手段を更に備え、
前記決定手段は、前記特定手段により特定される項目の項目値と、当該項目と同一の項目であって前記比較対象に対して設定された項目の項目値とを比較することを特徴とする請求項１乃至３の何れか一項に記載の情報処理装置。
【請求項５】
前記特定手段は、前記履歴情報により示される前記対象に設定された項目のうち、基準項目値より優位な項目値の項目を、前記ユーザが重視する項目として特定することを特徴とする請求項４に記載の情報処理装置。
【請求項６】
前記情報処理装置は、前記広告対象が属するカテゴリに属する対象うち、過去の所定期間内に前記ユーザにより閲覧または指定された対象に設定された項目の項目値の平均である平均項目値を前記基準項目値として設定する第１設定手段を更に備えることを特徴とする請求項５に記載の情報処理装置。
【請求項７】
前記第１設定手段は、前記広告対象が属するカテゴリに属する対象に設定された項目の項目値の平均である第１平均項目値と、前記広告対象が属するカテゴリに属する対象うち過去の所定期間内に前記ユーザにより閲覧または指定された対象に設定された項目の平均である第２平均項目値とを項目毎に比較し、前記第１平均項目値よりも優位な前記第２平均項目値を前記基準項目値として設定する第１設定手段を更に備えることを特徴とする請求項６に記載の情報処理装置。
【請求項８】
前記第２取得手段は、前記広告対象の閲覧者であるユーザにより過去に閲覧または指定された対象の情報を含む履歴情報に基づいて、過去の所定期間内に前記ユーザにより閲覧または指定された対象が属するカテゴリに属する対象の情報の中から、前記比較対象の情報を取得することを特徴とする請求項１乃至７の何れか一項に記載の情報処理装置。
【請求項９】
前記情報処理装置は、カテゴリ毎に当該カテゴリに属する対象に対する履歴情報の数が多いほど長い前記期間を設定する設定する第２設定手段を更に備えることを特徴とする請求項８に記載の情報処理装置。
【請求項１０】
前記決定手段は、前記広告対象に対して設定された項目の項目値と、当該項目と同一の項目であって前記比較対象に対して設定された項目の項目値とを比較し、
前記情報処理装置は、前記広告対象の前記項目値のうち、前記比較対象の前記項目値より優位な前記項目値、または前記比較対象の前記項目値と同水準の前記項目値が無い場合、当該広告対象とは異なる新たな広告対象の情報を取得する第３取得手段を更に備え、
前記決定手段は、前記第３取得手段により取得される新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記特徴情報を決定することを特徴とする請求項１乃至９の何れか一項に記載の情報処理装置。
【請求項１１】
前記制御手段は、前記比較対象の前記項目値と、当該項目値より優位な項目値であって前記広告対象の項目値との差分に応じて前記特徴情報の表示態様を変化させることを特徴とする請求項２または３に記載の情報処理装置。
【請求項１２】
前記制御手段は、前記差分が閾値より大きい場合に前記特徴情報を目立つ表示態様で表示させることを特徴とする請求項１１に記載の情報処理装置。
【請求項１３】
前記情報処理装置は、カテゴリ毎に当該カテゴリに属する対象に設定された項目の項目値に基づいて前記閾値を設定する第３設定手段を更に備えることを特徴とする請求項１２に記載の情報処理装置。
【請求項１４】
コンピュータにより実行される情報処理方法であって、
表示画面における広告表示領域に表示される広告対象の情報を取得するステップと、
前記広告対象と比較される比較対象の情報を取得するステップと、
前記広告対象の情報と、前記比較対象の情報とを比較し、当該比較結果に基づいて前記広告対象の特徴を示す特徴情報を決定するステップと、
前記決定手段により決定される前記特徴情報を前記表示画面に表示させるステップと、
を含むことを特徴とする情報処理方法。
【請求項１５】
コンピュータを、
表示画面における広告表示領域に表示される広告対象の情報を取得する第１取得手段と、
前記広告対象と比較される比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段として機能させることを特徴とする情報処理プログラム。
【発明の詳細な説明】
【技術分野】
【０００１】
本発明は、広告対象の情報を効果的に端末に表示させる装置等の技術分野に関する。
【背景技術】
【０００２】
従来から、Ｗｅｂサイトに登録されるコンテンツの内容に連動した広告を提供可能な広告配信システムが知られている（例えば、特許文献１）。このシステムでは、広告配信サーバが広告掲載Ｗｅｂサイトにおける広告掲載対象コンテンツの内容からキーワードやトピックを抽出する。そして、広告配信サーバは、閲覧者の端末からのコンテンツ要求に応じて、上記抽出したキーワードやトピックにより広告を検索し、広告付きのコンテンツを閲覧者の端末に提供するようになっている。これにより、広告主は、要求されたコンテンツの内容に関連する広告を当該閲覧者に提示することができる。
【先行技術文献】
【特許文献】
【０００３】
【特許文献１】特開２００７−２８６８３３号公報
【発明の概要】
【発明が解決しようとする課題】
【０００４】
しかしながら、上述したような従来の技術では、広告対象となる例えば商品が他の商品に比べてどこに特徴があるのかを、閲覧者に対して、過不足なく効果的にアピールすることは困難であった。【０００５】
本発明は、以上の点等に鑑みてなされたものであり、閲覧者に対して、広告対象の特徴を過不足なく効果的にアピールすることが可能な情報処理装置、情報処理方法、及び情報処理プログラムを提供することを課題とする。
【課題を解決するための手段】
【０００６】
上記課題を解決するために、請求項１に記載の発明は、表示画面における広告表示領域に表示される広告対象の情報を取得する第１取得手段と、前記広告対象と比較される比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段と、を備えることを特徴とする。【０００７】
請求項１に記載の発明によれば、広告対象の情報と比較対象の情報との比較結果に基づき特徴情報が決定されるので、比較対象に対する広告対象の特徴を過不足なく効果的に閲覧者へアピールすることができる。【０００８】
請求項２に記載の発明は、請求項１に記載の情報処理装置において、前記決定手段は、前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記特徴情報を決定することを特徴とする。【０００９】
請求項２に記載の発明によれば、比較対象に対して広告対象の優位な項目値に基づく特徴を過不足なく効果的に閲覧者へアピールすることができる。【００１０】
請求項３に記載の発明は、請求項１に記載の情報処理装置において、前記決定手段は、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記特徴情報を決定することを特徴とする。【００１１】
請求項３に記載の発明によれば、比較対象の項目値より優位な項目値がない場合であっても、比較対象に対して広告対象の同水準の項目値に基づく特徴を過不足なく効果的に閲覧者へアピールすることができる。【００１２】
請求項４に記載の発明は、請求項１乃至３の何れか一項に記載の情報処理装置において、前記情報処理装置は、前記広告対象の閲覧者であるユーザにより過去に閲覧または指定された対象の情報を含む履歴情報に基づいて、前記広告対象に対して設定された項目の中から、前記ユーザが重視する項目を特定する特定手段を更に備え、前記決定手段は、前記特定手段により特定される項目の項目値と、当該項目と同一の項目であって前記比較対象に対して設定された項目の項目値とを比較することを特徴とする。【００１３】
請求項４に記載の発明によれば、比較対象に対する広告対象の特徴であって、ユーザが重視する項目の項目値に基づく特徴を過不足なく効果的に閲覧者へアピールすることができる。【００１４】
請求項５に記載の発明は、請求項４に記載の情報処理装置において、前記特定手段は、前記履歴情報により示される前記対象に設定された項目のうち、基準項目値より優位な項目値の項目を、前記ユーザが重視する項目として特定することを特徴とする。【００１５】
請求項５に記載の発明によれば、任意に設定可能な基準項目値との比較により、ユーザが重視する項目を適切に特定することができる。【００１６】
請求項６に記載の発明は、請求項５に記載の情報処理装置において、前記情報処理装置は、前記広告対象が属するカテゴリに属する対象うち、過去の所定期間内に前記ユーザにより閲覧または指定された対象に設定された項目の項目値の平均である平均項目値を前記基準項目値として設定する第１設定手段を更に備えることを特徴とする。【００１７】
請求項６に記載の発明によれば、ユーザが最近関心（興味）のある対象に設定された項目の項目値に基づき基準項目値を適切に設定することができる。【００１８】
請求項７に記載の発明は、請求項６に記載の情報処理装置において、前記第１設定手段は、前記広告対象が属するカテゴリに属する対象に設定された項目の項目値の平均である第１平均項目値と、前記広告対象が属するカテゴリに属する対象うち過去の所定期間内に前記ユーザにより閲覧または指定された対象に設定された項目の平均である第２平均項目値とを項目毎に比較し、前記第１平均項目値よりも優位な前記第２平均項目値を前記基準項目値として設定する第１設定手段を更に備えることを特徴とする。【００１９】
請求項７に記載の発明によれば、ユーザが最近関心（興味）のある対象に設定された項目の項目値の中でもより優位な項目値に基づき基準項目値を、より適切に設定することができる。【００２０】
請求項８に記載の発明は、請求項１乃至７の何れか一項に記載の情報処理装置において、前記第２取得手段は、前記広告対象の閲覧者であるユーザにより過去に閲覧または指定された対象の情報を含む履歴情報に基づいて、過去の所定期間内に前記ユーザにより閲覧または指定された対象が属するカテゴリに属する対象の情報の中から、前記比較対象の情報を取得することを特徴とする。【００２１】
請求項８に記載の発明によれば、ユーザが最近関心（興味）のある対象の情報を比較対象の情報として取得することができる。【００２２】
請求項９に記載の発明は、請求項８に記載の情報処理装置において、前記情報処理装置は、カテゴリ毎に当該カテゴリに属する対象に対する履歴情報の数が多いほど長い前記期間を設定する設定する第２設定手段を更に備えることを特徴とする。【００２３】
請求項９に記載の発明によれば、閲覧回数や指定回数等が多いカテゴリほど比較対象を抽出するための期間を長くすることにより、ユーザが関心（興味）のあるカテゴリについてより幅広い情報を比較対象の情報として取得することができる。【００２４】
請求項１０に記載の発明は、請求項１乃至９の何れか一項に記載の情報処理装置において、前記決定手段は、前記広告対象に対して設定された項目の項目値と、当該項目と同一の項目であって前記比較対象に対して設定された項目の項目値とを比較し、前記情報処理装置は、前記広告対象の前記項目値のうち、前記比較対象の前記項目値より優位な前記項目値、または前記比較対象の前記項目値と同水準の前記項目値が無い場合、当該広告対象とは異なる新たな広告対象の情報を取得する第３取得手段を更に備え、前記決定手段は、前記第３取得手段により取得される新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記特徴情報を決定することを特徴とする。【００２５】
請求項１０に記載の発明によれば、少なくとも初めに特定された広告対象の項目値のうち、比較対象の前記項目値より優位な項目値、または比較対象の項目値と同水準の項目値が無い場合であっても、比較対象の項目の項目値より優位な、または同水準の項目値がある新たな広告対象の当該特徴情報を表示させることができる。【００２６】
請求項１１に記載の発明は、請求項２または３に記載の情報処理装置において、前記制御手段は、前記比較対象の前記項目値と、当該項目値より優位な項目値であって前記広告対象の項目値との差分に応じて前記特徴情報の表示態様を変化させることを特徴とする。【００２７】
請求項１１に記載の発明によれば、広告対象の項目値と比較対象の項目値間の差分に応じて、当該特徴情報を、より効果的に閲覧者へアピールすることができる。【００２８】
請求項１２に記載の発明は、請求項１１に記載の情報処理装置において、前記制御手段は、前記差分が閾値より大きい場合に前記特徴情報を目立つ表示態様で表示させることを特徴とする。【００２９】
請求項１２に記載の発明によれば、広告対象の項目値と比較対象の項目値間の差分に応じて、当該特徴情報を、より見易い表示態様で閲覧者へアピールすることができる。【００３０】
請求項１３に記載の発明は、請求項１２に記載の情報処理装置において、前記情報処理装置は、カテゴリ毎に当該カテゴリに属する対象に設定された項目の項目値に基づいて前記閾値を設定する第３設定手段を更に備えることを特徴とする。【００３１】
請求項１３に記載の発明によれば、特徴情報を目立つ表示態様で表示させるための閾値を、より適切に設定することができる。【００３２】
請求項１４に記載の発明は、コンピュータにより実行される情報処理方法であって、表示画面における広告表示領域に表示される広告対象の情報を取得するステップと、前記広告対象と比較される比較対象の情報を取得するステップと、前記広告対象の情報と、前記比較対象の情報とを比較し、当該比較結果に基づいて前記広告対象の特徴を示す特徴情報を決定するステップと、前記決定手段により決定される前記特徴情報を前記表示画面に表示させるステップと、を含むことを特徴とする。【００３３】
請求項１５に記載の発明は、コンピュータを、表示画面における広告表示領域に表示される広告対象の情報を取得する第１取得手段と、前記広告対象と比較される比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段として機能させる情報処理プログラムである。
【発明の効果】
【００３４】
本発明によれば、広告対象の情報と比較対象の情報との比較結果に基づき特徴情報が決定されるので、比較対象に対する広告対象の特徴を過不足なく効果的に閲覧者へアピールすることができる。
【図面の簡単な説明】
【００３５】
【図１】本実施形態に係る情報提供システムＳの概要構成例を示す図である。
【図２】（Ａ）は、本実施形態に係るクライアント端末１の概要構成例を示すブロック図である。（Ｂ）は、本実施形態に係る情報提供サーバ２の概要構成例を示すブロック図である。（Ｃ）は、システム制御部１６またはシステム制御部２４における機能ブロックの一例を示す図である。
【図３】（Ａ）は、C-01とN-99との各項目の項目値の比較例及び特徴情報の一例を示す図であり、（Ｂ）は、（Ａ）に示す特徴情報の表示態様の一例を示す図である。
【図４】（Ａ）は、C-01とS-123との各項目の項目値の比較例及び特徴情報の一例を示す図であり、（Ｂ）は、（Ａ）に示す特徴情報の表示態様の一例を示す図である。
【図５】（Ａ）は、C-01とN-99との各項目の項目値の比較例及び特徴情報の一例を示す図であり、（Ｂ）は、（Ａ）に示す特徴情報の表示態様の他の例を示す図である。
【図６】（Ａ）は、C-01とS-123との各項目の項目値の比較例及び特徴情報の一例を示す図であり、（Ｂ）は、（Ａ）に示す特徴情報の表示態様の他の例を示す図である。
【図７】比較商品の項目値と比較商品の項目値との差分に応じて当該特徴情報の表示態様が変化する例を示す図である。
【図８】実施例１において、クライアント端末１と情報提供サーバ２とにおける処理の流れの一例を示すシーケンス図である。
【図９】実施例１及び実施例２において、クライアント端末１の表示部１２における表示画面例を示す図である。
【図１０】実施例２において、クライアント端末１と情報提供サーバ２とにおける処理の流れの一例を示すシーケンス図である。
【図１１】実施例３において、クライアント端末１と情報提供サーバ２とにおける処理の流れの一例を示すシーケンス図である。
【図１２】実施例３において、クライアント端末１の表示部１２における表示画面例を示す図である。
【図１３】実施例４において、クライアント端末１と情報提供サーバ２とにおける処理の流れの一例を示すシーケンス図である。
【図１４】実施例４において、クライアント端末１の表示部１２における表示画面例を示す図である。
【図１５】実施例５において、クライアント端末１と情報提供サーバ２とにおける処理の流れの一例を示すシーケンス図である。
【図１６】実施例５において、クライアント端末１の表示部１２における表示画面例を示す図である。
【図１７】実施例６において、クライアント端末１と情報提供サーバ２とにおける処理の流れの一例を示すシーケンス図である。
【発明を実施するための形態】
【００３６】
以下、図面を参照して本発明の実施形態について説明する。なお、以下に説明する実施の形態は、情報提供システムに対して本発明を適用した場合の実施形態である。
【００３７】
［１．情報提供システムの構成及び機能概要］
【００３８】
先ず、本実施形態に係る情報提供システムＳの構成及び概要機能について、図１を用いて説明する。図１は、本実施形態に係る情報提供システムＳの概要構成例を示す図である。図１に示すように、情報提供システムＳは、クライアント端末１、情報提供サーバ２、広告データベースサーバ３、履歴データベースサーバ４、及び商品データベースサーバ５等を含んで構成される。クライアント端末１、または情報提供サーバ２は、本発明の情報処理装置の一例である。クライアント端末１、情報提供サーバ２、広告データベースサーバ３、履歴データベースサーバ４、及び商品データベースサーバ５は、ネットワークＮＷに接続されている。ネットワークＮＷは、例えば、インターネット、専用通信回線（例えば、ＣＡＴＶ（Community Antenna Television）回線）、移動体通信網（基地局等を含む）、及びゲートウェイ等により構築される。なお、クライアント端末１としては、例えば、パーソナルコンピュータ（ＰＣ）、携帯電話機、携帯情報端末 (ＰＤＡ：Personal Digital Assistant)、携帯電話機と携帯情報端末を融合させた携帯端末（Smartphone）、又は携帯ゲーム機等の端末装置が適用可能である。広告データベースサーバ３、履歴データベースサーバ４、及び商品データベースサーバ５は、１つのサーバにより構成されてもよい。また、広告データベースＢサーバ３、履歴データベースサーバ４、及び商品データベースサーバ５は、情報提供サーバ２に組み込まれてもよい。
【００３９】
情報提供サーバ２は、ブログサイトやＳＮＳ（Social Networking Service）サイト等のＷｅｂサイトを提供するサーバである。Ｗｅｂサイトは、複数のユーザ毎に割り当てられ、固有のＵＲＬ（Uniform Resource Locator）が付与されている。Ｗｅｂサイトには、クライアント端末１へ提供されるＷｅｂページに表示可能な記事が登録される。Ｗｅｂサイトが割り当てられたユーザは、当該Ｗｅｂサイトから提供されるＷｅｂページを管理する管理者（以下、「ページ管理者」という）となる。このページ管理者には、例えば、クライアント端末１を通じて所定の手続きを行うことでＷｅｂサイトを開設した開設者が該当する。また、Ｗｅｂサイトの開設者の他にも、例えばブログサイトの運営者から提供されるブログサービスの利用者もページ管理者に該当する。
【００４０】
上記Ｗｅｂサイトから提供されるＷｅｂページは、ＨＴＭＬ（Hyper Text Markup Language）文書やＸＨＴＭＬ文書等の構造化文書、及び画像データ等により構成される。Ｗｅｂページの中には、該Ｗｅｂページで取り扱われる情報の分類や検索のために付与されたタグがＷｅｂページ中に埋め込まれている（ＨＴＭＬ文書中に記述されている）ものも存在する。このタグは、例えば、商品などの属性（滑らか、スマートなど）や商品などのカテゴリを示す。クライアント端末１は、ＷｅｂブラウザによりＷｅｂサイトのＵＲＬを指定することで、該Ｗｅｂサイトから提供されたＷｅｂページをディスプレイ上に表れた表示画面（ウインドウ画面）に表示する。これにより、当該Ｗｅｂサイトのページ管理者、または当該Ｗｅｂサイトのページ管理者以外の閲覧者は、Ｗｅｂページ上に表示された情報を閲覧することができる。このようなＷｅｂページには、例えば、広告対象の情報を表示するための広告表示領域が設けられる。広告対象には、取引の対象となる商品やサービスが該当する。サービスには、施設の宿泊サービス、利用サービス等様々なものが含まれる。また、広告対象は、取引対象を提供する宿泊施設や遊戯施設等の施設であってもよい。なお、以下の説明においては、広告対象として商品を例にとって説明する。また、Ｗｅｂページには、Ｗｅｂサイトのページ管理者より登録された記事を表示（記述）するための記事表示領域が設けられる場合もある。記事には、例えば、ページ管理者が所望する商品を一意に特定可能な商品特定情報（例えば商品ＩＤや商品コード）と共に、当該商品に対するレビュー（例えば、感想、意見、評論、評価等）を示すレビュー情報等が含まれる。
【００４１】
Ｗｅｂページにおける広告表示領域には、情報提供サーバ２に対して広告対象送信要求を行うことで、情報提供サーバ２から広告商品（広告対象の一例）の情報を取得して該広告表示領域に埋め込むスクリプトが設定されている。このスクリプトは、所定のスクリプト言語（例えば、JavaScript（登録商標））により構成されており、Ｗｅｂページを構成する構造化文書内に記述されている。広告対象送信要求には、例えば、広告選択条件が含まれてもよい。広告選択条件は、広告商品を選択するための条件であり、これには、例えば商品に関するキーワードやカテゴリ等が該当する。キーワード、カテゴリは、例えば、Ｗｅｂページ中に埋め込まれているタグに含まれる。或いは、キーワード、カテゴリは、例えば、クライアント端末１のＷｅｂブラウザにより保存されたクッキーに含まれる。つまり、クッキーには、広告商品の閲覧者であるユーザにより入力されたキーワードやカテゴリが含まれる。なお、広告表示領域は、ＨＴＭＬ文書等の構造化文書に記述されたコマンドに基づいて表示画面上にポップアップ表示される場合もある。広告対象送信要求に応じて情報提供サーバ２から提供される広告商品の情報には、例えば商品の画像データが含まれる。また、広告商品の情報には、例えば、商品特定情報が含まれる場合もある。また、広告表示領域に表示される画像データには、例えば商品の詳細情報を提供するＷｅｂサイトや取引対象の注文手続を行うＷｅｂサイトへのリンク（ハイパーリンク）が設定されてもよい。
【００４２】
広告データベースサーバ３は、広告商品の情報、広告主の情報、広告の入札金額、及び広告ＩＤを広告商品毎に登録する広告データベースを備える。ここで、広告ＩＤは、商品特定情報であってもよい。広告商品の情報には、例えば、商品名、商品のカテゴリ、商品の画像データ、商品の価格（価格値）、商品の属性及び属性値等が該当する。商品のカテゴリの例として、「カメラ」、「テレビ」、「洗濯機」、「冷蔵庫」等が挙げられる。また、商品のカテゴリは、上位階層（上位レベル）から下位階層（下位レベル）までの複数階層に区分されるように構成してもよい。例えば、カテゴリは、レベル１（最上位レベル）が「家電」、レベル２が「カメラ」、レベル３が「デジタルカメラ」、レベル４（最下位レベル）が「一眼レフデジタルカメラ」、という階層に区分される。なお、商品のカテゴリは、下位階層にいくほど、商品名（例えば、ＡＢＣ 一眼レフデジタルカメラ）に近くなる。商品の価格と商品の属性は、商品の項目の一例である。また、商品の価格の実際の値（価格値）と商品の属性の実際の値（属性値）は、項目値の一例である。また、商品の属性には、例えば、商品のスペック、性質などがある。例えば、商品が一眼レフデジタルカメラである場合、商品の属性（つまり、項目）には、ポイント数／ポイント倍率、画素、ズーム倍率、重量、ISO感度、本体横幅、本体高さなどが該当する。これらの項目は、商品に設定された項目である。
【００４３】
履歴データベースサーバ４は、広告商品の閲覧者であるユーザ（クライアント端末１のユーザ）により過去に閲覧または指定された商品（対象の一例）の情報を含む履歴情報、及び当該ユーザのユーザＩＤをユーザ毎に登録する履歴データベースを備える。履歴情報の例として、検索履歴、閲覧履歴、ブックマーク登録履歴、及び購入履歴等が挙げられる。検索履歴には、ユーザにより指定された商品の情報、及び当該ユーザによる当該商品の検索時刻等が含まれる。閲覧履歴には、ユーザにより閲覧された商品の情報、当該ユーザによる当該商品の閲覧時刻等が含まれる。ブックマーク登録履歴には、ユーザにより登録された商品の情報、及び当該ユーザによる当該商品の登録時刻等が含まれる。購入履歴には、ユーザにより購入された商品の情報、及び当該ユーザによる当該商品の購入時刻等が含まれる。商品の情報には、例えば、商品名、商品のカテゴリ、商品の価格（価格値）、商品の属性及び属性値、商品に対するレビュー情報等が該当する。
【００４４】
以上説明した履歴情報は、例えば広告商品の閲覧者であるユーザのユーザＩＤをキーとして、ショッピングサイト、オークションサイト、サービス予約サイト、ブログサイト等の様々なＷｅｂサイトから所定のタイミングで取得され、履歴データベースに蓄積される。
【００４５】
商品データベースサーバ５は、商品の情報、及び商品特定情報を商品毎に登録する商品データベースを備える。商品データベースは、商品特定情報をキーとして、商品の情報を提供するためのデータベースである。
【００４６】
図２（Ａ）は、本実施形態に係るクライアント端末１の概要構成例を示すブロック図である。図２（Ａ）は、クライアント端末１の概要構成例を示すブロック図である。図２（Ａ）に示すように、クライアント端末１は、操作部１１、表示部１２、通信部１３、記憶部１４、入出力インターフェース部１５、及びシステム制御部１６等を備える。そして、システム制御部１６と入出力インターフェース部１５とは、システムバス１７を介して接続されている。操作部１１は、例えば、キーボード及びマウス等を備える。表示部１２は、Ｗｅｂページ等を表示するための表示画面を有する。操作部１１と表示部１２とを兼ねるタッチパネルが適用されてもよい。通信部１３は、ネットワークＮＷに接続して情報提供サーバ１等との通信状態を制御する。記憶部１４は、例えば、ハードディスクドライブ等からなり、オペレーティングシステム（Ｏ／Ｓ），アプリケーションプログラム，Ｗｅｂブラウザプログラム等を記憶する。システム制御部１６は、ＣＰＵ１６ａ（プロセッサ），ＲＯＭ１６ｂ，及びＲＡＭ１６ｃ等を備え、後述する処理を実行する。
【００４７】
図２（Ｂ）は、本実施形態に係る情報提供サーバ２の概要構成例を示すブロック図である。図２（Ｂ）に示すように、情報提供サーバ２は、通信部２１、記憶部２２、入出力インターフェース部２３、及びシステム制御部２４等を備える。システム制御部２４と入出力インターフェース部２３とは、システムバス２５を介して接続されている。通信部２１は、ネットワークＮＷに接続して通信状態の制御を行う。記憶部２２は、例えば、ハードディスクドライブ等からなり、オペレーティングシステム（Ｏ／Ｓ），サーバプログラム等を記憶する。システム制御部２４は、ＣＰＵ２４（プロセッサ），ＲＯＭ２４ｂ，及びＲＡＭ２４ｃ等を備え、後述する処理を実行する。
【００４８】
以上の構成において、コンピュータとしてのシステム制御部１６またはシステム制御部２４は、本発明の情報処理プログラムにしたがって、後述する特徴情報表示処理を実行する。なお、情報処理プログラムは、所定のサーバなどからネットワークＮＷを介してダウンロードされて記憶部１４または記憶部２２に記憶される。或いは、情報処理プログラムは、ＣＤ（Compact Disc）、ＤＶＤ（Digital Versatile Disc）などの記録媒体に記録（コンピュータにより読み取り可能に記録）されており、当該記録媒体から読み込まれて記憶部１４または記憶部２２に記憶されるようにしてもよい。
【００４９】
図２（Ｃ）は、システム制御部１６またはシステム制御部２４における機能ブロックの一例を示す図である。上記特徴情報表示処理において、システム制御部１６（システム制御部１６内のプロセッサ）またはシステム制御部２４（システム制御部２４内のプロセッサ）は、図２（Ｃ）に示すように、広告対象取得部３１、比較対象取得部３２、特徴決定部３３、項目特定部３４、設定部３５、及び表示制御部３６等として機能する。なお、広告対象取得部３１は、本発明における第１取得手段、及び第３取得手段の一例である。比較対象取得部３２は、本発明における第２取得手段の一例である。特徴決定部３３は、本発明における決定手段の一例である。項目特定部３４は、本発明における特定手段の一例である。設定部３５は、本発明における第１設定手段、第２設定手段、及び第３設定手段の一例である。表示制御部３６は、本発明における制御手段の一例である。
【００５０】
広告対象取得部３１は、クライアント端末１の表示画面における広告表示領域に表示される広告商品の情報（以下、「広告商品情報」という）を、例えば広告データベースサーバ３または商品データベースサーバ５から取得する。ここで、広告商品情報の取得タイミングは、当該広告商品の例えば画像が広告表示領域に表示される前であってもよいし、当該広告表示領域に表示された後であってもよい。
【００５１】
比較対象取得部３２は、広告商品と比較される比較商品（比較対象の一例）の情報（以下、「比較商品情報」という）を、例えば履歴データベースサーバ４または商品データベースサーバ５から取得する。例えば、比較対象取得部３２は、広告商品と同一の商品名（同一の商品コードでもよい）の商品を比較商品として特定し、その比較商品情報を取得する。或いは、比較対象取得部３２は、広告商品（例えば、一眼レフデジタルカメラ）が属するカテゴリ（例えば、家電⊃カメラ⊃デジタルカメラ⊃一眼レフデジタルカメラ）に属する商品（例えば、一眼レフデジタルカメラ）を比較商品として特定し、その比較商品情報を取得する。ここで、比較対象取得部３２は、広告商品の閲覧者であるユーザにより過去に閲覧または指定された商品の情報を含む履歴情報に基づいて、過去の所定期間内に当該ユーザにより閲覧または指定された商品の情報の中から、上記比較商品情報を取得するとよい。これにより、ユーザが最近関心（興味）のある商品の情報を比較商品情報として取得することができる。或いは、比較対象取得部３２は、広告商品の閲覧者であるユーザにより過去に閲覧または指定された商品の情報を含む履歴情報に基づいて、過去の所定期間内に当該ユーザにより閲覧または指定された商品が属するカテゴリに属する商品の情報の中から、上記比較商品情報を取得するとよい。これにより、ユーザが最近関心（興味）のある商品に関連する情報を比較商品情報として幅広く取得することができる。
【００５２】
ここで、履歴情報は、当該ユーザのユーザＩＤをキーとして履歴データベースサーバ４から取得される。このユーザＩＤは、例えば、クライアント端末１から送信されたログイン要求から取得されるか、或いはクライアント端末１のＷｅｂブラウザにより保存されたクッキーから取得される。また、過去の所定期間とは、例えば比較対象取得部３２の処理時点から遡った期間を意味する。この期間内に、例えば上述した検索時刻、閲覧時刻、登録時刻、または購入時刻が含まれるか否かが判断される。なお、この期間は、設定部３５により、例えば１週間〜数か月の間に設定される。或いは、設定部３５は、カテゴリ毎に当該カテゴリに属する商品に対する履歴情報の数が多いほど長い上記期間を設定するとよい。閲覧回数や指定回数等が多いカテゴリほど比較商品を抽出するための期間を長くすることにより、ユーザが関心のあるカテゴリについてより幅広い情報を比較商品情報として取得することができる。
【００５３】
特徴決定部３３は、広告商品情報と、比較商品情報とを比較し、当該比較結果に基づいて広告商品の特徴を示す特徴情報を決定する。つまり、比較結果に基づき広告商品を閲覧者へアピールできる特徴を示す特徴情報が決定される。例えば、特徴情報は、価格、スペックなどの項目やその項目値を示すものである。特徴情報は、比較商品と比べて広告商品の優位な項目やその項目値を示すものであることが望ましい。この場合、特徴決定部３３は、広告商品に対して設定された項目の項目値と、当該項目と同一の項目であって比較商品に対して設定された項目の項目値とを比較し、広告商品の上記項目値のうち、比較商品の上記項目値より優位な項目値に基づいて特徴情報を決定する。これにより、比較商品に対して広告商品の優位な項目値に基づく特徴を過不足なく効果的に閲覧者へアピールすることができる。例えば、広告商品の価格値が「５００円」であり、比較商品の価格値が「１，０００円」である場合、価格値「５００円」は比較商品の上記項目値より優位な項目値である。この場合、価格値「５００円」に基づいて、「５００円」、または「５００円 激安」などの特徴情報が決定される。この場合、「激安」が特徴情報として決定されてもよい。つまり、必ずしも特徴情報に、上記優位な項目値が含まれなくともよい（優位な項目値に対応する価格を示すものであればよい）。なお、特徴決定部３３は、広告商品情報と、比較商品情報とを比較し、広告商品情報にのみ含まれているタグ等を特徴情報として決定してもよい。
【００５４】
なお、特徴決定部３３は、広告商品に対して設定された項目の項目値と、比較商品に対して設定された項目の項目値とを比較し、広告商品の項目の項目値の中に、比較商品の項目の項目値より優位な項目値がない場合、比較商品の項目の項目値と同水準の項目値に基づいて特徴情報を決定してもよい。これにより、比較商品の項目の項目値より優位な項目値がない場合であっても、比較商品に対して広告商品の同水準の項目値に基づく特徴を過不足なく効果的に閲覧者へアピールすることができる。例えば、広告商品の価格値が「１，０００円」であり、比較商品の価格値が「１，０００円」である場合、価格値「１，０００円」は、比較商品の項目の項目値と同水準の項目値である。なお、同水準は、同一でなくともよく、同じレベル帯であればよい。例えば、広告商品の価格値が「１，０００円」である場合、同じレベル帯の価格値は、広告商品の価格値の±２０％以内の価格値である。
【００５５】
特徴決定部３３により比較される項目は、広告商品毎に予め設定されている項目の中から特定される。例えば、広告主によって設定された項目、または広告商品（例えば、一眼レフデジタルカメラ）の閲覧者であるユーザが重視する項目（例えば、価格、画素、ズーム倍率）などが比較される項目（比較項目）として特定される。例えば、項目特定部３４は、広告商品の閲覧者であるユーザにより過去に閲覧または指定された商品の情報を含む上記履歴情報に基づいて、広告商品に対して予め設定された項目の中から、ユーザが重視する項目を特定する。これにより、比較商品に対する広告商品の特徴であって、ユーザが重視する項目の項目値に基づく特徴を過不足なく効果的に閲覧者へアピールすることができる。例えば、項目特定部３４は、履歴情報により示される商品に設定された項目のうち、基準項目値（例えば、画素値：９６０万、或いは、価格値：１０，０００円）より優位な項目値（例えば、画素値：１０００万、或いは、価格値：８，０００円）の項目（例えば、画素）を、ユーザが重視する項目として特定する。これにより、任意に設定可能な基準項目値との比較により、ユーザが重視する項目を適切に特定することができる。
【００５６】
ここで、基準項目値は、設定部３５により任意に設定可能である。設定部３５は、例えば、広告商品（例えば、一眼レフデジタルカメラ）が属するカテゴリ（例えば、家電⊃カメラ⊃デジタルカメラ⊃一眼レフデジタルカメラ）に属する商品（例えば、一眼レフデジタルカメラ）うち、過去の所定期間（例えば、上述したように、比較商品情報を取得する場合と同様）内に上記ユーザにより閲覧または指定された商品に設定された項目の項目値の平均である平均項目値を基準項目値として設定する。これにより、ユーザが最近関心（興味）のある商品に設定された項目の項目値に基づき基準項目値を適切に設定することができる。例えば、過去の所定期間内に上記ユーザにより閲覧または指定された商品の数が２０個である場合、２０個の商品の項目の項目値を平均した平均項目値（例えば、平均価格値など）が基準項目値として設定される。
【００５７】
或いは、設定部３５は、広告商品が属するカテゴリに属する商品に設定された項目の項目値の平均である第１平均項目値と、広告商品が属するカテゴリに属する商品うち過去の所定期間内に上記ユーザにより閲覧または指定された商品に設定された項目の平均である第２平均項目値とを項目毎に算出してもよい。この場合、設定部３５は、算出した第１平均項目値と第２平均項目値とを項目毎に比較して第１平均項目値よりも優位な第２平均項目値を基準項目値として設定する。これにより、ユーザが最近関心（興味）のある商品に設定された項目の項目値の中でもより優位な項目値に基づき基準項目値を、より適切に設定することができる。例えば、広告商品が属するカテゴリに属する商品の数が１００個である場合、項目毎に、１００個の商品の項目の項目値を平均した第１平均項目値（例えば、平均価格値：３００円、平均画素値：２０００万）が算出される。また、例えば、過去の所定期間内に上記ユーザにより閲覧または指定された商品の数が２０個である場合、項目毎に、２０個の商品の項目の項目値を平均した第２平均項目値（例えば、平均価格値：２００円、平均画素値：１１００万）が算出される。この場合、第１平均項目値（例えば、平均価格値：３００円）よりも有利な第２平均項目値（例えば、平均価格値：２００円）が基準項目値として設定される。つまり、この場合、価格が安い方がユーザにとって有利であるとの基準に基づく。
【００５８】
なお、項目特定部３４は、広告商品が属するカテゴリに属する商品に設定された項目の項目値の平均である第１平均項目値と、広告商品が属するカテゴリに属する商品うち過去の所定期間内に上記ユーザにより閲覧または指定された商品に設定された項目の平均である第２平均項目値とを項目毎に算出してもよい。この場合、項目特定部３４は、算出した第１平均項目値と第２平均項目値とを項目毎に比較して第１平均項目値よりも優位な第２平均項目値に対応する項目のみを比較項目として特定する。この構成によっても、ユーザが重視する項目を比較する項目として設定することができる。また、ユーザが重視する項目のみを比較するため、すべての項目を比較する場合と比べて処理負荷を軽減できる。
【００５９】
上述したように項目特定部３４により比較される比較項目が決定された場合、特徴決定部３３は、比較項目（例えば、ユーザが重視する項目）の項目値と、当該項目と同一の項目であって比較商品に対して設定された項目の項目値とを比較し、当該比較結果に基づいて広告商品の特徴を示す特徴情報を決定することになる。
【００６０】
表示制御部３４は、特徴決定部３３により決定される特徴情報をクライアント端末１の表示部１２における表示画面に表示させる。表示制御部３４が情報提供サーバ２内にある場合、当該表示制御部３４は、当該特徴情報を、ネットワークＮＷを介してクライアント端末１へ出力（送信）することで表示画面に表示させる。ここで、特徴情報の表示態様の具体例について、図３〜図７を用いて説明する。なお、この具体例の説明において、広告商品をC-01（一眼レフデジタルカメラ）とし、比較商品１をN-99（一眼レフデジタルカメラ）とし、比較商品２をS-123（一眼レフデジタルカメラ）とする。C-01、N-99、及びS-123は、例えば商品ＩＤを示す。そして、カテゴリ「一眼レフデジタルカメラ」の項目を、(1)価格、(2)ポイント数／ポイント倍率、(3)画素、(4)ズーム倍率、(5)重量、(6)ISO感度、(7)本体横幅、(8)本体高さとする。
【００６１】
図３（Ａ）は、C-01とN-99との各項目の項目値の比較例及び特徴情報の一例を示す図であり、図３（Ｂ）は、図３（Ａ）に示す特徴情報の表示態様の一例を示す図である。なお、図３（Ａ）等の比較結果に示す「＞」と「＜」は、本明細書において、どちらが優位（ユーザにとって優位（言い換えれば、好都合））であるかを表す記号であるとする。例えば、「Ａ＞Ｂ」は、ＡはＢより優位であることを表す。一方、「Ａ＜Ｂ」は、ＢはＡより優位であることを表す。図３（Ａ）の例では、「１０，０００円＞１２，０００円」となっているが、これは、１０，０００円は１２，０００円よりも優位であること意味する。また、図３（Ａ）等の比較結果に示す記号「＝」は、同水準であることを表す記号であるとする。例えば、Ａ＝Ｂである場合、ＡとＢとは同水準であることを意味する。図３（Ａ）の例では、N-99に対してC-01の方が優位な項目値の項目が「(1)価格」と「(6)ISO感度」とである。この場合、表示制御部３４は、C-01に関わる情報のうち、項目「(1)価格」と「(6)ISO感度」のみを示す特徴情報、または当該項目の項目値のみを示す特徴情報、または当該項目及び当該項目値のみを示す特徴情報を表示させる。図３（Ｂ）の例では、項目「(1)価格」と「(6)ISO感度」、及びそれぞれの項目値（１０，０００円、２５６００）のみを示す特徴情報１０１が広告表示領域１００からの吹き出しとして表示されている。
【００６２】
図４（Ａ）は、C-01とS-123との各項目の項目値の比較例及び特徴情報の一例を示す図であり、図４（Ｂ）は、図４（Ａ）に示す特徴情報の表示態様の一例を示す図である。図４（Ａ）の例では、S-123に対してC-01の方が優位な項目値の項目が「(3)画素」である。この場合、表示制御部３４は、C-01に関わる情報のうち、項目「(3)画素」のみを示す特徴情報、または当該項目の項目値のみを示す特徴情報、または当該項目及び当該項目値のみを示す特徴情報を表示させる。図４（Ｂ）の例では、項目「(3)画素」、及びその項目値（１５００万画素）のみを示す特徴情報１０１が広告表示領域１００からの吹き出しとして表示されている。
【００６３】
図５（Ａ）は、C-01とN-99との各項目の項目値の比較例及び特徴情報の一例を示す図であり、図５（Ｂ）は、図５（Ａ）に示す特徴情報の表示態様の他の例を示す図である。図５（Ａ）の例でも、図３（Ａ）と同様、N-99に対してC-01の方が優位な項目値の項目が「(1)価格」と「(6)ISO感度」とである。図５（Ｂ）の例では、表示制御部３４は、C-01に関わる(1)〜(8)の全ての項目の項目値を表示した上で、項目「(1)価格」と「(6)ISO感度」の項目値を特徴情報１０１として目立つ態様で表示（例えば、ハイライト表示）させている。
【００６４】
図６（Ａ）は、C-01とS-123との各項目の項目値の比較例及び特徴情報の一例を示す図であり、図６（Ｂ）は、図６（Ａ）に示す特徴情報の表示態様の他の例を示す図である。図６（Ａ）の例でも、図４（Ａ）と同様、S-123に対してC-01の方が優位な項目値の項目が「(3)画素」である。図６（Ｂ）の例では、表示制御部３４は、C-01に関わる(1)〜(8)の全ての項目の項目値を表示させた上で、項目「(3)画素」の項目値を特徴情報１０１として目立つ態様で表示（例えば、ハイライト表示）させている。
【００６５】
なお、目立つ表示態様とは、例えば特徴情報に含まれる文字をハイライト表示させたり、強調表示させたりする表示態様である。強調表示には、文字のサイズを他の文字と比べて大きくしたり、文字の色を他の文字の色と比べて明るくしたり、文字のフォントを他のフォントと変えたりすることなどが該当する。
【００６６】
また、表示制御部３４は、比較商品の項目値と、当該項目値より優位な項目値であって広告商品の項目値との差分に応じて当該特徴情報の表示態様を変化させるように構成するとよい。図７は、比較商品の項目値と比較商品の項目値との差分に応じて当該特徴情報の表示態様が変化する例を示す図である。図７（Ａ）〜（Ｃ）に示すように、広告商品の画素値と比較商品の画素値との差分が大きくなるほど、特徴情報１０１の表示態様が段階的に変化（例えば、徐々に目立っていくように変化）するように表示される。これにより、広告商品の項目値と比較商品の項目値間の差分に応じて、当該特徴情報を、より効果的に閲覧者へアピールすることができる。例えば、表示制御部３４は、差分が閾値より大きい場合に特徴情報を目立つ表示態様で表示させる。これにより、当該差分に応じて、当該特徴情報を、より見易い表示態様で閲覧者へアピールすることができる。当該閾値は、カテゴリ毎に当該カテゴリに属する商品に設定された項目の項目値に基づいて、設定部３５により設定される。これにより、特徴情報を目立つ表示態様で表示させるための閾値を、より適切に設定することができる。例えば、広告商品が属するカテゴリに属する商品に設定された項目の項目値を平均した平均項目値が閾値として設定される。例えば、当該カテゴリに属する商品に設定された項目が画素である場合において、画素値が「１５００万」である商品が２個、画素値が「１０００万」である商品が４個、画素値が「８００万」である商品が２個、画素値が「５００万」である商品が２個であるとする。この場合、合計で１０個の商品の合計画素値が「９６００万」であるので、平均画素値は「９６０万」となる。このため、当該平均画素値「９６０万」が閾値として設定されることになり、表示制御部３４は、９６０万画素以上差がある場合に、特徴情報を目立つ表示態様で表示させる。或いは、例えば、当該カテゴリに属する商品に設定された項目がズーム倍率である場合において、ズーム倍率が「２０倍」である商品が２個、ズーム倍率が「１０倍」である商品が２個、ズーム倍率が「５倍」である商品が４個、ズーム倍率が「２倍」である商品が２個であるとする。この場合、合計で１０個の商品の合計ズーム倍率が「８４倍」であるので、平均ズーム倍率は「８．４倍」となる。このため、当該平均ズーム倍率「８．４倍」が閾値として設定されることになり、表示制御部３４は、８．４倍以上差がある場合に、特徴情報を目立つ表示態様で表示させる。
【００６７】
また、設定部３５が閾値を複数設定することで、表示制御部３４は、比較商品の項目値と広告商品の項目値との差分が大きいほど段階的に表示態様が変化するように表示させてもよい。例えば、広告商品が属するカテゴリに属する商品が、画素値「１５００万」の群（クラスタ）と、画素値「１０００万」の群と、画素値「８００万」の群と、画素値「５００万」の群とに分けられるとする。この場合、閾値は、画素値「１５００万」と、画素値「１０００万」と、画素値「８００万」と、画素値「５００万」との４つとなる。そして、広告商品の画素値が、閾値「５００万」〜閾値「８００万」の間にある場合と、閾値「８００万」〜閾値「１０００万」の間にある場合と、閾値「１０００万」〜閾値「１５００万」の間にある場合と、閾値「１５００」以上である場合とで、特徴情報の表示態様が段階的に変化（例えば、徐々に目立っていくように変化）するように表示される。或いは、例えば、広告商品が属するカテゴリに属する商品が、ズーム倍率「２０倍」の群と、ズーム倍率「１０倍」の群と、ズーム倍率「５倍」の群と、ズーム倍率「２倍」の群とに分けられるとする。この場合、閾値は、ズーム倍率「２０倍」と、ズーム倍率「１０倍」と、ズーム倍率「５倍」と、ズーム倍率「２倍」との４つとなる。そして、広告商品のズーム倍率が、閾値「２倍」〜閾値「５倍」の間にある場合と、閾値「５倍」〜閾値「１０倍」の間にある場合と、閾値「１０倍」〜閾値「２０倍」の間にある場合と、閾値「２０倍」以上である場合とで、特徴情報の表示態様が段階的に変化するように表示される。
［２．情報提供システムＳの動作］
【００６８】
次に、本実施形態に係る情報提供システムＳの動作について、実施例１〜実施例６に分けて説明する。
（実施例１）
【００６９】
先ず、実施例１について図８及び図９を用いて説明する。実施例１は、広告データベースサーバ３及び履歴データベースサーバ４を利用して情報提供サーバ２により特徴情報の決定が行われる例である。図８は、実施例１において、クライアント端末１と情報提供サーバ２とにおける処理の流れの一例を示すシーケンス図である。図９は、実施例１及び実施例２において、クライアント端末１の表示部１２における表示画面例を示す図である。
【００７０】
図８の例において、クライアント端末１におけるシステム制御部１６は、Ｗｅｂブラウザにより、例えばユーザにより指定されたＵＲＬに従って情報提供サーバ２へアクセスする。そして、システム制御部１６は、Ｗｅｂブラウザにより、Ｗｅｂページのリクエストを送信することでＷｅｂページを取得して、図９（Ａ）に示すように表示画面に表示させる（ステップＳ１）。図９（Ａ）の例では、Ｗｅｂページには、広告表示領域１００とコンテンツ表示領域２００が設けられている。コンテンツ表示領域２００には例えば動画等のコンテンツが表示される。
【００７１】
次いで、クライアント端末１におけるシステム制御部１６は、Ｗｅｂページにおける広告表示領域１００に埋め込まれたスクリプトをＷｅｂブラウザにより実行することで、情報提供サーバ２へ広告対象送信要求を送信する（ステップＳ２）。この広告対象送信要求には、広告選択条件が含まれる。例えば、システム制御部１６は、広告対象送信要求を送信する前に、Ｗｅｂページ中に埋め込まれているタグ、またはクライアント端末１に保存されているクッキーに含まれる情報（商品についてのキーワード（例えば商品名）や商品のカテゴリを含む）を広告選択条件として広告対象送信要求にセットする。
【００７２】
一方、情報提供サーバ２におけるシステム制御部２４は、クライアント端末１からの広告対象送信要求を受信すると、当該広告対象送信要求から広告選択条件を取得する（ステップＳ３）。次いで、システム制御部２４の広告対象取得部３１は、ステップＳ３で取得された広告選択条件に基づいて、広告データベースサーバ３から広告商品情報を取得する（ステップＳ４）。例えば、広告選択条件を広告データベースサーバ３へ送信することで、当該広告選択条件に基づいて特定された広告商品情報を取得する。例えば、広告選択条件が示すキーワードやカテゴリに対応付けられた広告商品情報、または広告選択条件が示すキーワードやカテゴリを含む広告商品情報が取得される。なお、広告選択条件に抽象的なワードが含まれている場合がある。この場合、広告対象取得部３１は、抽象的なワードの中から、例えば「滑らか」、「スマート」などのポジティブなワードを抽出（例えば、ポジティブなワードを登録する辞書による）し、ポジティブなワードに該当する商品を広告商品として特定し、その広告商品情報を取得することが望ましい。なお、複数の商品が該当する場合、例えばランダム、または登録順に１つの商品が広告商品として特定される。また、広告表示領域１００に複数の広告商品情報が切替表示される場合、該当する複数の商品がそれぞれ広告商品として特定されるように構成してもよい。この場合、複数の広告商品情報ごとに、後述する処理が行われる。
【００７３】
次いで、システム制御部２４の比較対象取得部３２は、ステップＳ３で取得された広告選択条件、またはステップＳ４で取得された広告商品情報中の商品名（または商品のカテゴリ）等に基づいて、履歴データベースサーバ４から比較商品情報を取得する（ステップＳ５）。例えば、広告選択条件、または広告商品情報に含まれる商品名（または商品のカテゴリ）等を履歴データベースサーバ４へ送信することで、当該広告選択条件、または商品名（または商品のカテゴリ）等に基づいて特定された比較商品情報を取得する。例えば、広告選択条件が示すキーワードやカテゴリに対応付けられた比較商品情報、広告選択条件が示すキーワードやカテゴリを含む比較商品情報、広告商品情報に含まれる商品名（または商品のカテゴリ）等に対応付けられた広告商品情報、または、広告商品情報に含まれる商品名（または商品のカテゴリ）等を含む比較商品情報が取得される。なお、広告選択条件に抽象的なワードが含まれている場合の処理は、上記ステップＳ４の処理と同様である。また、比較対象取得部３２は、上述したように、広告商品の閲覧者であるユーザにより過去に閲覧または指定された商品の情報を含む履歴情報に基づいて、過去の所定期間内に当該ユーザにより閲覧または指定された商品の情報の中から、上記比較商品情報を取得してもよい。或いは、比較対象取得部３２は、広告商品の閲覧者であるユーザにより過去に閲覧または指定された商品の情報を含む履歴情報に基づいて、過去の所定期間内に当該ユーザにより閲覧または指定された商品が属するカテゴリに属する商品の情報の中から、上記比較商品の情報を取得するとよい。
【００７４】
次いで、システム制御部２４の特徴決定部３３は、ステップＳ４で取得された広告商品情報と、ステップＳ５で取得された比較商品情報とを比較し、上述したように、当該比較結果に基づいて広告商品の特徴を示す特徴情報を決定する（ステップＳ６）。なお、このステップＳ６において、上述した項目特定部３４によりユーザが重視する項目が決定される場合がある。この場合、特徴決定部３３は、ユーザが重視する項目の項目値と、当該項目と同一の項目であって比較商品に対して設定された項目の項目値とを比較し、当該比較結果に基づいて広告商品の特徴を示す特徴情報を決定することになる。
【００７５】
次いで、システム制御部２４の表示制御部３４は、ステップＳ４で取得された広告商品情報の一部（例えば、商品の画像データ）と、ステップＳ６で決定された特徴情報とをネットワークＮＷを介してクライアント端末１へ送信することで、クライアント端末１のＷｅｂブラウザに当該広告商品情報の一部と当該特徴情報とを、図９（Ｂ）に示すようにＷｅｂページ上に表示させる（ステップＳ７，ステップＳ８）。図９（Ｂ）の例では、広告表示領域１００に表示された広告商品画像と隣接する位置に、広告商品C-01（一眼レフデジタルカメラ）の価格値（例えば、比較商品の価格値より優位な価格値）及び画素値（例えば、比較商品の画素値より優位な画素値）を含む特徴情報１０１が表示されている。特徴情報１０１の表示位置は、Ｗｅｂページ上のどの位置でもよいが、広告表示領域１００に近い方が閲覧者により把握され易い。また、特徴情報１０１を広告表示領域１００に重畳表示させてもよい。なお、上述したように、表示制御部３４は、比較商品の項目値と、当該項目値より優位な項目値であって広告商品の項目値との差分に応じて当該特徴情報の表示態様を変化させるように構成するとよい。また、上記処理において、広告商品情報が複数取得され、広告商品毎に特徴情報が決定された場合、図９（Ｂ）に示す広告表示領域１００において広告商品画像の表示が切り替えられる度に、広告商品に対応する特徴情報１０１の表示も切り替えられることになる。
【００７６】
（実施例２）
次に、実施例２について図９及び図１０を用いて説明する。実施例２は、広告データベースサーバ３及び履歴データベースサーバ４を利用してクライアント端末１により特徴情報の決定が行われる例である。図１０は、実施例２において、クライアント端末１と情報提供サーバ２とにおける処理の流れの一例を示すシーケンス図である。図１０に示すステップＳ１１の処理は、実施例１におけるステップＳ１の処理と同様である。
【００７７】
次いで、クライアント端末１におけるシステム制御部１６の広告対象取得部３１は、Ｗｅｂページにおける広告表示領域１００に埋め込まれたスクリプトをＷｅｂブラウザにより実行することで、情報提供サーバ２を介して広告データベースサーバ３へ広告対象送信要求を送信する（ステップＳ１２）。広告対象送信要求には、実施例１と同様、広告選択条件が含まれる。そして、広告対象取得部３１は、広告データベースサーバ３から情報提供サーバ２を介して送信された広告商品情報を取得する（ステップＳ１３）。この広告商品情報は、実施例１と同様、広告選択条件に基づいて特定された広告商品情報である。なお、広告選択条件に抽象的なワードが含まれている場合の処理、及び複数の商品が該当する場合の処理は、実施例１と同様である。
【００７８】
次いで、システム制御部１６の比較対象取得部３２は、情報提供サーバ２を介して履歴データベースサーバ４へ比較対象送信要求を送信する（ステップＳ１４）。比較対象送信要求には、上記広告選択条件、またはステップＳ１３で取得された広告商品情報中の商品名（または商品のカテゴリ）等が含まれる。そして、比較対象取得部３２は、履歴データベースサーバ４から情報提供サーバ２を介して送信された比較商品情報を取得する（ステップＳ１５）。この比較商品情報は、実施例１と同様、上記広告選択条件、または商品名（または商品のカテゴリ）等に基づいて特定された比較商品情報である。なお、広告選択条件に抽象的なワードが含まれている場合の処理は、実施例１と同様である。また、過去の所定期間内に当該ユーザにより閲覧または指定された商品（または当該商品が属するカテゴリに属する商品）の情報の中から比較商品情報を取得する処理についても実施例１と同様である。
【００７９】
次いで、システム制御部１６の特徴決定部３３は、ステップＳ１３で取得された広告商品情報と、ステップＳ１５で取得された比較商品情報とを比較し、実施例１のステップＳ６と同様、比較結果に基づいて広告商品の特徴を示す特徴情報を決定する（ステップＳ１６）。なお、項目特定部３４によりユーザが重視する項目が決定される場合の処理については実施例１と同様である。
【００８０】
次いで、システム制御部１６の表示制御部３４は、ステップＳ１３で取得された広告商品情報の一部（例えば、商品の画像データ）と、ステップＳ１６で決定された特徴情報とを、Ｗｅｂブラウザに、図９（Ｂ）に示すようにＷｅｂページ上に表示させる（ステップＳ１７）。図９（Ｂ）の例ではマウスのポインタＰを広告表示領域１００上に位置させることで、特徴情報１０１がポップアップ表示されるようになっている。なお、実施例１と同様、表示制御部３４は、比較商品の項目値と、当該項目値より優位な項目値であって広告商品の項目値との差分に応じて当該特徴情報の表示態様を変化させるように構成するとよい。
（実施例３）
【００８１】
次に、実施例３について図１１及び図１２を用いて説明する。実施例３は、商品データベースサーバ５及び履歴データベースサーバ４を利用して情報提供サーバ２により特徴情報の決定が行われる例である。図１１は、実施例３において、クライアント端末１と情報提供サーバ２とにおける処理の流れの一例を示すシーケンス図である。図１２は、実施例３において、クライアント端末１の表示部１２における表示画面例を示す図である。
【００８２】
図１１の例において、クライアント端末１におけるシステム制御部１６は、Ｗｅｂブラウザにより、例えばユーザにより指定されたＵＲＬに従って情報提供サーバ２へアクセスする。そして、システム制御部１６は、Ｗｅｂブラウザにより、Ｗｅｂページのリクエストを送信することでＷｅｂページを取得し、更に、上述した広告選択条件を含む広告対象送信要求を送信することで広告商品情報の一部（例えば、商品の画像データ、及び広告商品を特定可能な商品特定情報α）を取得して、図１２（Ａ）に示すように表示画面に表示させる（ステップＳ２１）。図１２（Ａ）の例では、広告表示領域１００には広告商品画像が表示されている。なお、この広告対象送信要求には、広告選択条件が含まれなくてもよい。この場合、例えば、広告データベースサーバ３により広告商品が入札額等の所定の条件に基づいて決定される。次いで、システム制御部１６は、ステップＳ２１で取得された広告商品情報の一部から例えば商品特定情報α（例えば図１２（Ａ）に示す“C-01”）を取得し、当該商品特定情報αを情報提供サーバ２へ送信する（ステップＳ２２）。
【００８３】
一方、情報提供サーバ２におけるシステム制御部２４は、クライアント端末１からの商品特定情報αを取得する（ステップＳ２３）。次いで、システム制御部２４の広告対象取得部３１は、ステップＳ２３で取得された商品特定情報αに基づいて、商品データベースサーバ５から商品の情報を広告商品情報として取得する（ステップＳ２４）。例えば、商品特定情報αを商品データベースサーバ５へ送信することで、当該商品特定情報αに基づいて特定された商品の情報を広告商品情報として取得する。例えば、商品特定情報αに対応付けられた商品の情報、または商品特定情報αを含む商品の情報が取得される。
【００８４】
次いで、システム制御部２４の比較対象取得部３２は、ステップＳ２４で取得された広告商品情報中の商品名（または商品のカテゴリ）等に基づいて、履歴データベースサーバ４から比較商品情報を取得する（ステップＳ２５）。この比較商品情報は、広告商品情報中の商品名（または商品のカテゴリ）等に基づいて特定された比較商品情報である。なお、広告選択条件に抽象的なワードが含まれている場合の処理は、実施例１と同様である。また、過去の所定期間内に当該ユーザにより閲覧または指定された商品（または当該商品が属するカテゴリに属する商品）の情報の中から比較商品情報を取得する処理についても実施例１と同様である。
【００８５】
次いで、システム制御部２４の特徴決定部３３は、ステップＳ２４で取得された広告商品情報と、ステップＳ２５で取得された比較商品情報とを比較し、実施例１のステップＳ６の処理と同様、当該比較結果に基づいて広告商品の特徴を示す特徴情報を決定する（ステップＳ２６）。次いで、システム制御部２４の表示制御部３４は、ステップＳ２６で決定された特徴情報（つまり、商品特定情報αに対応する特徴情報）をクライアント端末１へ送信することで、クライアント端末１のＷｅｂブラウザに当該特徴情報を、図１２（Ｂ）に示すようにＷｅｂページ上に表示させる（ステップＳ２７，ステップＳ２８）。なお、上記ステップＳ２４〜２８の処理は、実施例２と同じように、クライアント端末１におけるシステム制御部１６が行うように構成してもよい。
（実施例４）
【００８６】
次に、実施例４について図１３及び図１４を用いて説明する。実施例４は、広告データベースサーバ３及び商品データベースサーバ５を利用して情報提供サーバ２により特徴情報の決定が行われる例である。図１３は、実施例４において、クライアント端末１と情報提供サーバ２とにおける処理の流れの一例を示すシーケンス図である。図１４は、実施例４において、クライアント端末１の表示部１２における表示画面例を示す図である。なお、図１３に示すステップＳ３１の処理は、実施例１におけるステップＳ１の処理と同様である。ステップＳ３１の処理により表示画面に表示されたＷｅｂページには、図１４（Ａ）に示すように、広告表示領域１００と記事表示領域２０１が設けられている。この記事表示領域２０１には、ページ管理者が所望する商品の商品特定情報βと共に、当該商品に対するレビューを示すレビュー情報が表示されている。
【００８７】
次いで、クライアント端末１におけるシステム制御部１６は、Ｗｅｂページにおける広告表示領域１００に埋め込まれたスクリプトをＷｅｂブラウザにより実行することで、情報提供サーバ２へ広告対象送信要求を送信する（ステップＳ３２）。この広告対象送信要求には、広告選択条件と商品特定情報βとが含まれる。例えば、システム制御部１６は、広告対象送信要求を送信する前に、Ｗｅｂページ中に埋め込まれているタグ、またはクライアント端末１に保存されているクッキーに含まれる情報を広告選択条件として広告対象送信要求にセットすると共に、記事表示領域２０１に表示されている商品特定情報βを広告対象送信要求にセットする。商品特定情報βは、Ｗｅｂブラウザにより記事表示領域２０１から取得（例えば、Ｗｅｂページの広告表示領域１００を除く部分から、所定桁の番号体系をもった文字列を商品特定情報βとして特定して取得）される。
【００８８】
一方、情報提供サーバ２におけるシステム制御部２４は、クライアント端末１からの広告対象送信要求を受信すると、当該広告対象送信要求から広告選択条件と商品特定情報βとを取得する（ステップＳ３３）。次いで、システム制御部２４の広告対象取得部３１は、実施例１のステップＳ４の処理と同様、ステップＳ３３で取得された広告選択条件に基づいて、広告データベースサーバ３から広告商品情報を取得する（ステップＳ３４）。
【００８９】
次いで、システム制御部２４の比較対象取得部３２は、ステップＳ３３で取得された商品特定情報βに基づいて、商品データベースサーバ５から商品の情報を比較商品情報として取得する（ステップＳ３５）。例えば、商品特定情報βを商品データベースサーバ５へ送信することで、当該商品特定情報βに基づいて特定された商品の情報を比較商品情報として取得する。例えば、商品特定情報βに対応付けられた商品の情報、または商品特定情報βを含む商品の情報が取得される。
【００９０】
次いで、システム制御部２４の特徴決定部３３は、ステップＳ３４で取得された広告商品情報と、ステップＳ３５で取得された比較商品情報とを比較し、実施例１のステップＳ６と同様、当該比較結果に基づいて広告商品の特徴を示す特徴情報を決定する（ステップＳ３６）。次いで、システム制御部２４の表示制御部３４は、ステップＳ３４で取得された広告商品情報の一部（例えば、商品の画像データ）と、ステップＳ３６で決定された特徴情報とをクライアント端末１へ送信することで、クライアント端末１のＷｅｂブラウザに当該広告商品情報の一部と当該特徴情報とを、図１４（Ｂ）に示すようにＷｅｂページ上に表示させる（ステップＳ３７，ステップＳ３８）。なお、上記ステップＳ３３〜３８の処理は、実施例２と同じように、クライアント端末１におけるシステム制御部１６が行うように構成してもよい。
（実施例５）
【００９１】
次に、実施例５について図１５及び図１６を用いて説明する。実施例５は、商品データベースサーバ５を利用して情報提供サーバ２により特徴情報の決定が行われる例である。図１５は、実施例５において、クライアント端末１と情報提供サーバ２とにおける処理の流れの一例を示すシーケンス図である。図１６は、実施例５において、クライアント端末１の表示部１２における表示画面例を示す図である。なお、図１５に示すステップＳ４１の処理は、実施例３におけるステップＳ２１の処理と同様である。ステップＳ４１の処理により表示画面に表示されたＷｅｂページには、図１６（Ａ）に示すように、広告表示領域１００と記事表示領域２０１が設けられている。この広告表示領域１００には広告商品画像が表示されている。また、この記事表示領域２０１には、ページ管理者が所望する商品の商品特定情報βと共に、当該商品に対するレビューを示すレビュー情報が表示されている。
【００９２】
次いで、システム制御部１６は、ステップＳ４１で取得された広告商品情報の一部から例えば商品特定情報αを取得すると共に、記事表示領域２０１から商品特定情報βを取得し、取得した商品特定情報α及び商品特定情報βを情報提供サーバ２へ送信する（ステップＳ４２）。
【００９３】
一方、情報提供サーバ２におけるシステム制御部２４は、クライアント端末１からの商品特定情報α及び商品特定情報βを取得する（ステップＳ４３）。次いで、システム制御部２４の広告対象取得部３１は、実施例３のステップＳ２４の処理と同様、ステップＳ４３で取得された商品特定情報αに基づいて、商品データベースサーバ５から商品の情報を広告商品情報として取得する（ステップＳ４４）。次いで、システム制御部２４の比較対象取得部３２は、実施例４のステップＳ３５の処理と同様、ステップＳ４３で取得された商品特定情報βに基づいて、商品データベースサーバ５から商品の情報を比較商品情報として取得する（ステップＳ４５）。
【００９４】
次いで、システム制御部２４の特徴決定部３３は、ステップＳ４４で取得された広告商品情報と、ステップＳ４５で取得された比較商品情報とを比較し、実施例１のステップＳ６と同様、当該比較結果に基づいて広告商品の特徴を示す特徴情報を決定する（ステップＳ４６）。次いで、システム制御部２４の表示制御部３４は、ステップＳ４６で決定された特徴情報をクライアント端末１へ送信することで、クライアント端末１のＷｅｂブラウザに当該特徴情報を、図１６（Ｂ）に示すようにＷｅｂページ上に表示させる（ステップＳ４７，ステップＳ４８）。図１６（Ｂ）の例では、面積が拡大された広告表示領域１００内に特徴情報１０１が表示されるようになっている。なお、上記ステップＳ４３〜４８の処理は、実施例２と同じように、クライアント端末１におけるシステム制御部１６が行うように構成してもよい。
【００９５】
また、実施例５では、商品特定情報αと商品特定情報βとをそれぞれキーとして商品データベースサーバ５から商品の情報を取得するように構成した。しかし、ステップＳ４１で取得された広告商品情報の一部に例えば商品名（または商品カテゴリ）と広告商品の項目及び項目値とが含まれており、且つ、記事表示領域２０１に広告商品と同一の商品名（または広告商品が属する商品カテゴリに属する商品の商品名）の比較商品の項目及び項目値とが含まれている場合がある。この場合、クライアント端末１におけるシステム制御部１６の特徴決定部３３は、これらの項目値を比較し、当該比較結果に基づいて広告商品の特徴を示す特徴情報を決定するように構成してもよい。例えば、システム制御部１６の特徴決定部３３は、広告商品に対して設定された項目の項目値と、当該項目と同一の項目であって比較商品に対して設定された項目の項目値とを比較し、広告商品の上記項目値のうち、比較商品の上記項目値より優位な項目値に基づいて特徴情報を決定する。そして、システム制御部１６の表示制御部３４は、特徴決定部３３により決定された特徴情報を表示画面に表示させる。この構成によれば、履歴データベースサーバ４及び商品データベースサーバ５を利用しなくても、広告商品の特徴情報を表示画面に表示させることができる。
（実施例６）
【００９６】
次に、実施例６について図１７を用いて説明する。実施例６は、実施例１の変形例であり、広告商品の項目の項目値のうち、比較商品の項目の項目値より優位な項目値が無い場合に、当該広告商品の情報に代えて新たな広告商品（つまり、別の広告商品）の情報が取得される例である。図１７は、実施例６において、クライアント端末１と情報提供サーバ２とにおける処理の流れの一例を示すシーケンス図である。なお、図１７に示すステップＳ５１〜Ｓ５５の処理は、実施例１におけるステップＳ１〜Ｓ５の処理と同様である。
【００９７】
ステップＳ５６では、システム制御部２４の特徴決定部３３は、ステップＳ５４で取得された広告商品情報に含まれる項目の項目値と、ステップＳ５５で取得された比較商品情報に含まれる項目の項目値とを比較し、当該比較結果に基づいて、広告商品の項目の項目値のうち、比較商品の項目の項目値より優位な項目値または比較商品の項目の項目値と同水準の項目値があるか否かを判定する。そして、システム制御部２４の特徴決定部３３は、比較商品の項目の項目値より優位な項目値または比較商品の項目の項目値と同水準の項目値があると判定した場合（ステップＳ５６：ＹＥＳ）、ステップＳ５８へ進む。一方、システム制御部２４の特徴決定部３３は、比較商品の項目の項目値より優位な項目値と比較商品の項目の項目値と同水準の項目値の両方とも無い（つまり、劣位な項目値しかない）と判定した場合（ステップＳ５６：ＮＯ）、ステップＳ５７へ進む。
【００９８】
ステップＳ５７では、システム制御部２４の広告対象取得部３１は、ステップＳ５４で取得された広告商品情報に対応する広告商品とは異なる新たな広告商品の情報を、ステップＳ５３で取得された広告選択条件に基づいて、広告データベースサーバ３から取得し、ステップＳ５６に戻る。システム制御部２４の特徴決定部３３は、ステップＳ５６に戻ると、新たな広告商品の情報を用いて上記と同様の処理を行う。このような処理は、比較商品の項目の項目値より優位な項目値または比較商品の項目の項目値と同水準の項目値があると判定される（または所定回数実行される）まで繰り返される。
【００９９】
ステップＳ５８では、システム制御部２４の特徴決定部３３は、ステップＳ５６における比較結果に基づいて上述したように特徴情報を決定する。これにより、少なくとも初めに特定された広告商品の項目の項目値のうち、比較商品の項目の項目値より優位な項目値、または比較商品の項目値と同水準の項目値が無い場合であっても、比較商品の項目の項目値より優位な、または同水準の項目値がある新たな広告商品の当該特徴情報を、より確実に表示させることができる。なお、図１７に示すステップＳ５９及びＳ６０の処理は、実施例１におけるステップＳ７及びＳ８の処理と同様である。
【０１００】
以上説明したように、上記実施形態によれば、クライアント端末１の表示画面における広告表示領域に表示される広告商品の情報を取得し、当該広告商品と比較される比較商品の情報を取得し、当該広告商品情報と、当該比較商品情報との比較結果に基づいて広告商品の特徴を示す特徴情報を決定し、決定された特徴情報をクライアント端末１の表示画面に表示させるように構成したので、比較対象に対する広告対象の特徴を過不足なく効果的に閲覧者へアピールすることができる。
【０１０１】
なお、上記実施形態においては、対象として商品を例にとって説明したが、商品以外のサービスや施設を対象として本発明を適用することができる。
【符号の説明】
【０１０２】
１  クライアント端末
２  情報提供サーバ
３  広告データベースサーバ
４  履歴データベースサーバ
５  商品データベースサーバ
１１  操作部
１２  表示部
１３  通信部
１４  記憶部
１５  入出力インターフェース部
１６  システム制御部
２１  通信部
２２  記憶部
２３  入出力インターフェース部
２４  システム制御部
３１  広告対象取得部
３２  比較対象取得部
３３  特徴決定部
３４  項目特定部
３５  設定部
３６  表示制御部
ＮＷ  ネットワーク
Ｓ  情報提供システム
【図１】
2015151176.tif 000003
【図２】
2015151176.tif 000004
【図３】
2015151176.tif 000005
【図４】
2015151176.tif 000006
【図５】
2015151176.tif 000007
【図６】
2015151176.tif 000008
【図７】
2015151176.tif 000009
【図８】
2015151176.tif 000010
【図９】
2015151176.tif 000011
【図１０】
2015151176.tif 000012
【図１１】
2015151176.tif 000013
【図１２】
2015151176.tif 000014
【図１３】
2015151176.tif 000015
【図１４】
2015151176.tif 000016
【図１５】
2015151176.tif 000017
【図１６】
2015151176.tif 000018
【図１７】
2015151176.tif 000019
【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
表示画面における広告表示領域に表示される広告対象の情報を取得する第１取得手段と、
前記広告対象と比較される比較対象の情報を取得する第２取得手段と、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項２】
表示画面における広告表示領域に表示される広告対象の情報を取得する第１取得手段と、
前記広告対象と比較される比較対象の情報を取得する第２取得手段と、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、
前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、
前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項３】
前記第１設定手段は、前記広告対象が属するカテゴリに属する対象に設定された項目の項目値の平均である第１平均項目値と、前記広告対象が属するカテゴリに属する対象のうち過去の所定期間内に前記ユーザにより閲覧または指定された対象に設定された項目の平均である第２平均項目値とを項目毎に比較し、前記第１平均項目値よりも優位な前記第２平均項目値を前記基準項目値として設定することを特徴とする請求項２に記載の情報処理装置。
【請求項４】
表示画面における広告表示領域に表示される広告対象の情報を取得する第１取得手段と、
前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項５】
前記情報処理装置は、カテゴリ毎に当該カテゴリに属する対象に対する履歴情報の数が多いほど長い前記期間を設定する設定する第２設定手段を更に備えることを特徴とする請求項４に記載の情報処理装置。
【請求項６】
表示画面における広告表示領域に表示される広告対象の情報を取得する第１取得手段と、
前記広告対象と比較される比較対象の情報を取得する第２取得手段と、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、
前記決定手段により決定される前記特徴情報を前記表示画面に表示させる制御手段と、
を備えることを特徴とする情報処理装置。
【請求項７】
表示画面における広告表示領域に表示される広告対象の情報を取得する第１取得手段と、
前記広告対象と比較される比較対象の情報を取得する第２取得手段と、
前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定手段と、
前記決定手段により決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させる制御手段と、
を備えることを特徴とする情報処理装置。
【請求項８】
前記制御手段は、前記差分が閾値より大きい場合に前記特徴情報を目立つ表示態様で表示させることを特徴とする請求項７に記載の情報処理装置。
【請求項９】
前記情報処理装置は、カテゴリ毎に当該カテゴリに属する対象に設定された項目の項目値に基づいて前記閾値を設定する第３設定手段を更に備えることを特徴とする請求項７に記載の情報処理装置。
【請求項１０】
コンピュータにより実行される情報処理方法であって、
表示画面における広告表示領域に表示される広告対象の情報を取得するステップと、
前記広告対象と比較される比較対象の情報を取得するステップと、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項１１】
コンピュータにより実行される情報処理方法であって、
表示画面における広告表示領域に表示される広告対象の情報を取得するステップと、
前記広告対象と比較される比較対象の情報を取得するステップと、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定するステップと、
前記ユーザにより過去に閲覧または指定された対象の情報を含む履歴情報により示される前記対象に設定された項目のうち、前記基準項目値より優位な項目値の項目を、前記ユーザが重視する項目として特定する特定ステップと、
前記特定ステップにより特定される項目の項目値と、当該項目と同一の項目であって前記比較対象に対して設定された項目の項目値とを比較し、当該比較結果に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項１２】
コンピュータにより実行される情報処理方法であって、
表示画面における広告表示領域に表示される広告対象の情報を取得するステップと、
前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得するステップと、
前記広告対象の情報と、前記比較対象の情報とを比較し、当該比較結果に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項１３】
コンピュータにより実行される情報処理方法であって、
表示画面における広告表示領域に表示される広告対象の情報を取得するステップと、
前記広告対象と比較される比較対象の情報を取得するステップと、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得するステップと、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定ステップと、
前記決定ステップにより決定される前記特徴情報を前記表示画面に表示させるステップと、
を含むことを特徴とする情報処理方法。
【請求項１４】
コンピュータにより実行される情報処理方法であって、
表示画面における広告表示領域に表示される広告対象の情報を取得するステップと、
前記広告対象と比較される比較対象の情報を取得するステップと、
前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定ステップと、
前記決定ステップにより決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させるステップと、
を含むことを特徴とする情報処理方法。
【請求項１５】
コンピュータを、
表示画面における広告表示領域に表示される広告対象の情報を取得する第１取得手段と、
前記広告対象と比較される比較対象の情報を取得する第２取得手段と、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１６】
コンピュータを、
表示画面における広告表示領域に表示される広告対象の情報を取得する第１取得手段と、
前記広告対象と比較される比較対象の情報を取得する第２取得手段と、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、
前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、
前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１７】
コンピュータを、
表示画面における広告表示領域に表示される広告対象の情報を取得する第１取得手段と、
前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１８】
コンピュータを、
表示画面における広告表示領域に表示される広告対象の情報を取得する第１取得手段と、
前記広告対象と比較される比較対象の情報を取得する第２取得手段と、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、
前記決定手段により決定される前記特徴情報を前記表示画面に表示させる制御手段として機能させることを特徴とする情報処理プログラム。
【請求項１９】
コンピュータを、
表示画面における広告表示領域に表示される広告対象の情報を取得する第１取得手段と、
前記広告対象と比較される比較対象の情報を取得する第２取得手段と、
前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定手段と、
前記決定手段により決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させる制御手段として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、表示画面における広告表示領域に表示される広告対象の情報を取得する第１取得手段と、前記広告対象と比較される比較対象の情報を取得する第２取得手段と、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、前記決定手段により決定される前記特徴情報を前記表示画面に表示させる制御手段と、を備えることを特徴とする。
【手続補正３】
【補正対象書類名】明細書
【補正対象項目名】０００７
【補正方法】変更
【補正の内容】
【０００７】
請求項１に記載の発明によれば、比較対象の項目値より優位な項目値がない場合であっても、比較対象に対して広告対象の同水準の項目値に基づく特徴を過不足なく効果的に閲覧者へアピールすることができる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
請求項２に記載の発明は、表示画面における広告表示領域に表示される広告対象の情報を取得する第１取得手段と、前記広告対象と比較される比較対象の情報を取得する第２取得手段と、前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、前記決定手段により決定される前記特徴情報を前記表示画面に表示させる制御手段と、を備えることを特徴とする。
【手続補正１３】
【補正対象書類名】明細書
【補正対象項目名】００１７
【補正方法】変更
【補正の内容】
【００１７】
請求項２に記載の発明によれば、ユーザが最近関心（興味）のある対象に設定された項目の項目値に基づき基準項目値を適切に設定することができる。
【手続補正１４】
【補正対象書類名】明細書
【補正対象項目名】００１８
【補正方法】変更
【補正の内容】
【００１８】
請求項３に記載の発明は、請求項２に記載の情報処理装置において、前記第１設定手段は、前記広告対象が属するカテゴリに属する対象に設定された項目の項目値の平均である第１平均項目値と、前記広告対象が属するカテゴリに属する対象のうち過去の所定期間内に前記ユーザにより閲覧または指定された対象に設定された項目の平均である第２平均項目値とを項目毎に比較し、前記第１平均項目値よりも優位な前記第２平均項目値を前記基準項目値として設定することを特徴とする。
【手続補正１５】
【補正対象書類名】明細書
【補正対象項目名】００１９
【補正方法】変更
【補正の内容】
【００１９】
請求項３に記載の発明によれば、ユーザが最近関心（興味）のある対象に設定された項目の項目値の中でもより優位な項目値に基づき基準項目値を、より適切に設定することができる。
【手続補正１６】
【補正対象書類名】明細書
【補正対象項目名】００２０
【補正方法】変更
【補正の内容】
【００２０】
請求項４に記載の発明は、表示画面における広告表示領域に表示される広告対象の情報を取得する第１取得手段と、前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段と、を備えることを特徴とする。
【手続補正１７】
【補正対象書類名】明細書
【補正対象項目名】００２１
【補正方法】変更
【補正の内容】
【００２１】
請求項４に記載の発明によれば、ユーザが最近関心（興味）のある対象の情報を比較対象の情報として取得することができる。
【手続補正１８】
【補正対象書類名】明細書
【補正対象項目名】００２２
【補正方法】変更
【補正の内容】
【００２２】
請求項５に記載の発明は、請求項４に記載の情報処理装置において、前記情報処理装置は、カテゴリ毎に当該カテゴリに属する対象に対する履歴情報の数が多いほど長い前記期間を設定する設定する第２設定手段を更に備えることを特徴とする。
【手続補正１９】
【補正対象書類名】明細書
【補正対象項目名】００２３
【補正方法】変更
【補正の内容】
【００２３】
請求項５に記載の発明によれば、閲覧回数や指定回数等が多いカテゴリほど比較対象を抽出するための期間を長くすることにより、ユーザが関心（興味）のあるカテゴリについてより幅広い情報を比較対象の情報として取得することができる。
【手続補正２０】
【補正対象書類名】明細書
【補正対象項目名】００２４
【補正方法】変更
【補正の内容】
【００２４】
請求項６に記載の発明は、表示画面における広告表示領域に表示される広告対象の情報を取得する第１取得手段と、前記広告対象と比較される比較対象の情報を取得する第２取得手段と、前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、前記決定手段により決定される前記特徴情報を前記表示画面に表示させる制御手段と、を備えることを特徴とする。
【手続補正２１】
【補正対象書類名】明細書
【補正対象項目名】００２５
【補正方法】変更
【補正の内容】
【００２５】
請求項６に記載の発明によれば、少なくとも初めに特定された広告対象の項目値のうち、比較対象の前記項目値より優位な項目値、または比較対象の項目値と同水準の項目値が無い場合であっても、比較対象の項目の項目値より優位な、または同水準の項目値がある新たな広告対象の当該特徴情報を表示させることができる。
【手続補正２２】
【補正対象書類名】明細書
【補正対象項目名】００２６
【補正方法】変更
【補正の内容】
【００２６】
請求項７に記載の発明は、表示画面における広告表示領域に表示される広告対象の情報を取得する第１取得手段と、前記広告対象と比較される比較対象の情報を取得する第２取得手段と、前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定手段と、前記決定手段により決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させる制御手段と、を備えることを特徴とする。
【手続補正２３】
【補正対象書類名】明細書
【補正対象項目名】００２７
【補正方法】変更
【補正の内容】
【００２７】
請求項７に記載の発明によれば、広告対象の項目値と比較対象の項目値間の差分に応じて、当該特徴情報を、より効果的に閲覧者へアピールすることができる。
【手続補正２４】
【補正対象書類名】明細書
【補正対象項目名】００２８
【補正方法】変更
【補正の内容】
【００２８】
請求項８に記載の発明は、請求項７に記載の情報処理装置において、前記制御手段は、前記差分が閾値より大きい場合に前記特徴情報を目立つ表示態様で表示させることを特徴とする。
【手続補正２５】
【補正対象書類名】明細書
【補正対象項目名】００２９
【補正方法】変更
【補正の内容】
【００２９】
請求項８に記載の発明によれば、広告対象の項目値と比較対象の項目値間の差分に応じて、当該特徴情報を、より見易い表示態様で閲覧者へアピールすることができる。
【手続補正２６】
【補正対象書類名】明細書
【補正対象項目名】００３０
【補正方法】変更
【補正の内容】
【００３０】
請求項９に記載の発明は、請求項７に記載の情報処理装置において、前記情報処理装置は、カテゴリ毎に当該カテゴリに属する対象に設定された項目の項目値に基づいて前記閾値を設定する第３設定手段を更に備えることを特徴とする。
【手続補正２７】
【補正対象書類名】明細書
【補正対象項目名】００３１
【補正方法】変更
【補正の内容】
【００３１】
請求項９に記載の発明によれば、特徴情報を目立つ表示態様で表示させるための閾値を、より適切に設定することができる。
【手続補正２８】
【補正対象書類名】明細書
【補正対象項目名】００３２
【補正方法】変更
【補正の内容】
【００３２】
請求項１０に記載の発明は、コンピュータにより実行される情報処理方法であって、表示画面における広告表示領域に表示される広告対象の情報を取得するステップと、前記広告対象と比較される比較対象の情報を取得するステップと、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定ステップと、前記決定ステップにより決定される前記特徴情報を前記表示画面に表示させるステップと、を含むことを特徴とする。請求項１１に記載の発明は、コンピュータにより実行される情報処理方法であって、表示画面における広告表示領域に表示される広告対象の情報を取得するステップと、前記広告対象と比較される比較対象の情報を取得するステップと、前記広告対象が属するカテゴリに属する対象のうち、過去の所定期間内に前記広告対象の閲覧者であるユーザにより閲覧または指定された対象に設定された項目の項目値の平均である平均項目値を基準項目値として設定するステップと、前記ユーザにより過去に閲覧または指定された対象の情報を含む履歴情報により示される前記対象に設定された項目のうち、前記基準項目値より優位な項目値の項目を、前記ユーザが重視する項目として特定する特定ステップと、前記特定ステップにより特定される項目の項目値と、当該項目と同一の項目であって前記比較対象に対して設定された項目の項目値とを比較し、当該比較結果に基づいて前記広告対象の特徴を示す特徴情報を決定する決定ステップと、前記決定ステップにより決定される前記特徴情報を前記表示画面に表示させるステップと、を含むことを特徴とする。請求項１２に記載の発明は、コンピュータにより実行される情報処理方法であって、表示画面における広告表示領域に表示される広告対象の情報を取得するステップと、前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得するステップと、前記広告対象の情報と、前記比較対象の情報とを比較し、当該比較結果に基づいて前記広告対象の特徴を示す特徴情報を決定する決定ステップと、前記決定ステップにより決定される前記特徴情報を前記表示画面に表示させるステップと、を含むことを特徴とする。請求項１３に記載の発明は、コンピュータにより実行される情報処理方法であって、表示画面における広告表示領域に表示される広告対象の情報を取得するステップと、前記広告対象と比較される比較対象の情報を取得するステップと、前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得するステップと、前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定ステップと、前記決定ステップにより決定される前記特徴情報を前記表示画面に表示させるステップと、を含むことを特徴とする。請求項１４に記載の発明は、コンピュータにより実行される情報処理方法であって、表示画面における広告表示領域に表示される広告対象の情報を取得するステップと、前記広告対象と比較される比較対象の情報を取得するステップと、前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定ステップと、前記決定ステップにより決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させるステップと、を含むことを特徴とする。
【手続補正２９】
【補正対象書類名】明細書
【補正対象項目名】００３３
【補正方法】変更
【補正の内容】
【００３３】
請求項１５に記載の発明は、コンピュータを、表示画面における広告表示領域に表示される広告対象の情報を取得する第１取得手段と、前記広告対象と比較される比較対象の情報を取得する第２取得手段と、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、前記決定手段により決定される前記特徴情報を前記表示画面に表示させる制御手段として機能させる情報処理プログラムである。請求項１６に記載の発明は、コンピュータを、表示画面における広告表示領域に表示される広告対象の情報を取得する第１取得手段と、前記広告対象と比較される比較対象の情報を取得する第２取得手段と、前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、前記決定手段により決定される前記特徴情報を前記表示画面に表示させる制御手段として機能させる情報処理プログラムである。請求項１７に記載の発明は、コンピュータを、表示画面における広告表示領域に表示される広告対象の情報を取得する第１取得手段と、前記広告対象の閲覧者であるユーザにより過去に閲覧または指定された対象の情報を含む履歴情報に基づいて、過去の所定期間内に前記ユーザにより閲覧または指定された対象が属するカテゴリに属する対象を前記広告対象と比較される比較対象として特定し、前記比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段として機能させることを特徴とする。請求項１８に記載の発明は、コンピュータを、表示画面における広告表示領域に表示される広告対象の情報を取得する第１取得手段と、前記広告対象と比較される比較対象の情報を取得する第２取得手段と、前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、前記決定手段により決定される前記特徴情報を前記表示画面に表示させる制御手段として機能させることを特徴とする。請求項１９に記載の発明は、コンピュータを、表示画面における広告表示領域に表示される広告対象の情報を取得する第１取得手段と、前記広告対象と比較される比較対象の情報を取得する第２取得手段と、前記広告対象に対して設定された項目の項目値と、当該項目と同一の項目であって前記比較対象に対して設定された項目の項目値とを比較し、前記広告対象の前記項目値のうち、前記比較対象の前記項目値より優位な前記項目値に基づいて前記広告対象の特徴を示す特徴情報を決定する決定手段と、前記決定手段により決定される前記特徴情報を前記表示画面に表示させ、且つ、前記比較対象に対して設定された項目の項目値と、当該項目値より優位な前記項目値であって前記広告対象の前記項目値との差分に応じて前記特徴情報の表示態様を変化させる制御手段として機能させることを特徴とする。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
表示画面における広告表示領域に表示される広告対象の情報を取得する第１取得手段と、
前記広告対象と比較される比較対象の情報を取得する第２取得手段と、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項２】
表示画面における広告表示領域に表示される広告対象の情報を取得する第１取得手段と、
前記広告対象と比較される比較対象の情報を取得する第２取得手段と、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、
前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、
前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項３】
前記第１設定手段は、前記広告対象が属するカテゴリに属する対象に設定された項目の項目値の平均である第１平均項目値と、前記広告対象が属するカテゴリに属する対象のうち過去の所定期間内に前記ユーザにより閲覧または指定された対象に設定された項目の平均である第２平均項目値とを項目毎に比較し、前記第１平均項目値よりも優位な前記第２平均項目値を前記基準項目値として設定することを特徴とする請求項２に記載の情報処理装置。
【請求項４】
表示画面における広告表示領域に表示される広告対象の情報を取得する第１取得手段と、
前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段と、
を備えることを特徴とする情報処理装置。
【請求項５】
前記情報処理装置は、カテゴリ毎に当該カテゴリに属する対象に対する履歴情報の数が多いほど長い前記期間を設定する第２設定手段を更に備えることを特徴とする請求項４に記載の情報処理装置。
【請求項６】
表示画面における広告表示領域に表示される広告対象の情報を取得する第１取得手段と、
前記広告対象と比較される比較対象の情報を取得する第２取得手段と、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、
前記決定手段により決定される前記特徴情報を前記表示画面に表示させる制御手段と、
を備えることを特徴とする情報処理装置。
【請求項７】
コンピュータにより実行される情報処理方法であって、
表示画面における広告表示領域に表示される広告対象の情報を取得するステップと、
前記広告対象と比較される比較対象の情報を取得するステップと、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項８】
コンピュータにより実行される情報処理方法であって、
表示画面における広告表示領域に表示される広告対象の情報を取得するステップと、
前記広告対象と比較される比較対象の情報を取得するステップと、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定するステップと、
前記ユーザにより過去に閲覧または指定された対象の情報を含む履歴情報により示される前記対象に設定された項目のうち、前記基準項目値より優位な項目値の項目を、前記ユーザが重視する項目として特定する特定ステップと、
前記特定ステップにより特定される項目の項目値と、当該項目と同一の項目であって前記比較対象に対して設定された項目の項目値とを比較し、当該比較結果に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項９】
コンピュータにより実行される情報処理方法であって、
表示画面における広告表示領域に表示される広告対象の情報を取得するステップと、
前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得するステップと、
前記広告対象の情報と、前記比較対象の情報とを比較し、当該比較結果に基づいて前記広告対象の特徴を示す特徴情報を決定する決定ステップと、
前記決定ステップにより決定される前記特徴情報を前記表示画面に表示させるステップと、
を含むことを特徴とする情報処理方法。
【請求項１０】
コンピュータにより実行される情報処理方法であって、
表示画面における広告表示領域に表示される広告対象の情報を取得するステップと、
前記広告対象と比較される比較対象の情報を取得するステップと、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得するステップと、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定ステップと、
前記決定ステップにより決定される前記特徴情報を前記表示画面に表示させるステップと、
を含むことを特徴とする情報処理方法。
【請求項１１】
コンピュータを、
表示画面における広告表示領域に表示される広告対象の情報を取得する第１取得手段と、
前記広告対象と比較される比較対象の情報を取得する第２取得手段と、
前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１２】
コンピュータを、
表示画面における広告表示領域に表示される広告対象の情報を取得する第１取得手段と、
前記広告対象と比較される比較対象の情報を取得する第２取得手段と、
前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、
前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、
前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１３】
コンピュータを、
表示画面における広告表示領域に表示される広告対象の情報を取得する第１取得手段と、
前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、
前記広告対象の情報と、前記比較対象の情報とを比較し、当該比較結果に基づいて前記広告対象の特徴を示す特徴情報を決定する決定手段と、
前記決定手段により決定される前記特徴情報を前記表示画面に表示させる制御手段として機能させることを特徴とする情報処理プログラム。
【請求項１４】
コンピュータを、
表示画面における広告表示領域に表示される広告対象の情報を取得する第１取得手段と、
前記広告対象と比較される比較対象の情報を取得する第２取得手段と、
前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、
前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、
前記決定手段により決定される前記特徴情報を前記表示画面に表示させる制御手段として機能させることを特徴とする情報処理プログラム。
【手続補正２】
【補正対象書類名】明細書
【補正対象項目名】００２０
【補正方法】変更
【補正の内容】
【００２０】
請求項４に記載の発明は、表示画面における広告表示領域に表示される広告対象の情報を取得する第１取得手段と、前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段と、を備えることを特徴とする。
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】変更
【補正の内容】
【００３２】
請求項７に記載の発明は、コンピュータにより実行される情報処理方法であって、表示画面における広告表示領域に表示される広告対象の情報を取得するステップと、前記広告対象と比較される比較対象の情報を取得するステップと、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定ステップと、前記決定ステップにより決定される前記特徴情報を前記表示画面に表示させるステップと、を含むことを特徴とする。請求項８に記載の発明は、コンピュータにより実行される情報処理方法であって、表示画面における広告表示領域に表示される広告対象の情報を取得するステップと、前記広告対象と比較される比較対象の情報を取得するステップと、前記広告対象が属するカテゴリに属する対象のうち、過去の所定期間内に前記広告対象の閲覧者であるユーザにより閲覧または指定された対象に設定された項目の項目値の平均である平均項目値を基準項目値として設定するステップと、前記ユーザにより過去に閲覧または指定された対象の情報を含む履歴情報により示される前記対象に設定された項目のうち、前記基準項目値より優位な項目値の項目を、前記ユーザが重視する項目として特定する特定ステップと、前記特定ステップにより特定される項目の項目値と、当該項目と同一の項目であって前記比較対象に対して設定された項目の項目値とを比較し、当該比較結果に基づいて前記広告対象の特徴を示す特徴情報を決定する決定ステップと、前記決定ステップにより決定される前記特徴情報を前記表示画面に表示させるステップと、を含むことを特徴とする。請求項９に記載の発明は、コンピュータにより実行される情報処理方法であって、表示画面における広告表示領域に表示される広告対象の情報を取得するステップと、前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得するステップと、前記広告対象の情報と、前記比較対象の情報とを比較し、当該比較結果に基づいて前記広告対象の特徴を示す特徴情報を決定する決定ステップと、前記決定ステップにより決定される前記特徴情報を前記表示画面に表示させるステップと、を含むことを特徴とする。請求項１０に記載の発明は、コンピュータにより実行される情報処理方法であって、表示画面における広告表示領域に表示される広告対象の情報を取得するステップと、前記広告対象と比較される比較対象の情報を取得するステップと、前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得するステップと、前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定ステップと、前記決定ステップにより決定される前記特徴情報を前記表示画面に表示させるステップと、を含むことを特徴とする。
【手続補正１０】
【補正対象書類名】明細書
【補正対象項目名】００３３
【補正方法】変更
【補正の内容】
【００３３】
請求項１１に記載の発明は、コンピュータを、表示画面における広告表示領域に表示される広告対象の情報を取得する第１取得手段と、前記広告対象と比較される比較対象の情報を取得する第２取得手段と、前記広告対象に対して設定された項目の項目値と、前記比較対象に対して設定された項目の項目値とを比較し、前記広告対象の前記項目値の中に、前記比較対象の前記項目値より優位な前記項目値がない場合、前記比較対象の前記項目値と同水準の前記項目値に基づいて前記広告対象の特徴を示す特徴情報を決定する決定手段と、前記決定手段により決定される前記特徴情報を前記表示画面に表示させる制御手段として機能させる情報処理プログラムである。請求項１２に記載の発明は、コンピュータを、表示画面における広告表示領域に表示される広告対象の情報を取得する第１取得手段と、前記広告対象と比較される比較対象の情報を取得する第２取得手段と、前記広告対象が属するカテゴリに属する対象のうち、過去の所定期間内に前記広告対象の閲覧者であるユーザにより閲覧または指定された対象に設定された項目の項目値の平均である平均項目値を基準項目値として設定する第１設定手段と、前記ユーザにより過去に閲覧または指定された対象の情報を含む履歴情報により示される前記対象に設定された項目のうち、前記基準項目値より優位な項目値の項目を、前記ユーザが重視する項目として特定する特定手段と、前記特定手段により特定される項目の項目値と、当該項目と同一の項目であって前記比較対象に対して設定された項目の項目値とを比較し、当該比較結果に基づいて前記広告対象の特徴を示す特徴情報を決定する決定手段と、前記決定手段により決定される前記特徴情報を前記表示画面に表示させる制御手段として機能させる情報処理プログラムである。請求項１３に記載の発明は、コンピュータを、表示画面における広告表示領域に表示される広告対象の情報を取得する第１取得手段と、前記広告対象の閲覧者であるユーザの検索履歴、閲覧履歴、またはブックマーク登録履歴に基づいて、過去の所定期間内に前記ユーザにより検索、閲覧、またはブックマーク登録された対象が属するカテゴリに属する対象で、且つ前記広告対象が属するカテゴリに属する対象を前記広告対象と比較される比較対象として特定し、前記比較対象の情報を取得する第２取得手段と、前記広告対象の情報と、前記比較対象の情報とを比較し、当該比較結果に基づいて前記広告対象の特徴を示す特徴情報を決定する決定手段と、前記決定手段により決定される前記特徴情報を前記表示画面に表示させる制御手段として機能させることを特徴とする。請求項１４に記載の発明は、コンピュータを、表示画面における広告表示領域に表示される広告対象の情報を取得する第１取得手段と、前記広告対象と比較される比較対象の情報を取得する第２取得手段と、前記広告対象に対して設定された項目の項目値のうち、前記比較対象に対して設定された項目の項目値より優位な前記項目値または前記比較対象の前記項目値と同水準の前記項目値が無い場合、当該広告対象とは異なる新たな広告対象の情報を取得する第３取得手段と、前記新たな広告対象に対して設定された項目の項目値と、当該項目と同一の項目であって前記比較対象に対して設定された項目の項目値とを比較し、前記新たな広告対象の前記項目値のうち、前記比較対象の前記項目値より優位な前記項目値または前記比較対象の前記項目値と同水準の前記項目値に基づいて前記新たな広告対象の特徴を示す特徴情報を決定する決定手段と、前記決定手段により決定される前記特徴情報を前記表示画面に表示させる制御手段として機能させることを特徴とする。
【国際調査報告】
2015151176.tif 000020
2015151176.tif 000021
2015151176.tif 000022
2015151176.tif 000023